(57)【要約】【課題】外観を損ねずに、縦目地と横目地の交差部の防水性を確保できる目地の防水構造を提供する。【解決手段】本発明の目地の防水構造は、上下左右に並設された外壁構造体（第１〜第４の外壁構造体）により形成された縦目地および横目地の交差部Ｍが防水シート１０ａ，１０ｂにより防水されたものであり、防水シート１０ａ，１０ｂは、柔軟性のシートからなり、矩形状の第１の防水領域１１と第１の防水領域１１の一辺から突出した第２の防水領域１２とを有するものである。【選択図】図３
2007217946.tif 000002
【特許請求の範囲】
【請求項１】
第１の外壁構造体と、第１の外壁構造体の一方の小口側に設置された第２の外壁構造体と、第１の外壁構造体上に設置された第３の外壁構造体と、第２の外壁構造体上に設置された第４の外壁構造体とにより形成された縦目地および横目地の交差部が、第１の防水シートおよび第２の防水シートにより防水された目地の防水構造であって、
第１〜第４の外壁構造体が、躯体及び躯体に取り付けられた外壁材を有し、
第１の防水シートおよび第２の防水シートが、柔軟性のシートからなり、矩形状の第１の防水領域と第１の防水領域の一辺から突出した第２の防水領域とを有するものであり、
第１の防水シートは、第１の防水領域における第２の防水領域近傍部が交差部に配置されるように、第３の外壁構造体を構成する外壁材の裏面の第２の外壁構造体側に、第１の防水シートの第１の防水領域が取り付けられ、第１の防水領域における第２の防水領域側の縁の第２の防水領域に隣接していない非隣接部が第１の外壁構造体の表面に取り付けられ、第２の防水領域における前記非隣接部側でかつ突出方向に沿った縁が第１の外壁構造体の小口に貼着され、
第２の防水シートは、第１の防水領域における第２の防水領域近傍部が交差部に配置されるように、第４の外壁構造体を構成する外壁材の裏面の第１の外壁構造体側に、第２の防水シートの第１の防水領域が取り付けられ、第１の防水領域における第２の防水領域側の縁の第２の防水領域に隣接していない非隣接部が第１の外壁構造体の表面に取り付けられ、第２の防水領域における前記非隣接部側でかつ突出方向に沿った縁が第１の外壁構造体の小口に貼着され、
第１の防水シートと第２の防水シートとが接合されていることを特徴とする目地の防水構造。
【請求項２】
請求項１に記載の目地の防水構造であって、
さらに、第１の外壁構造体と第２の外壁構造体との間の下階縦目地が、長尺矩形状の第１の下階縦目地用防水部材および第２の下階縦目地用防水部材により防水され、第３の外壁構造体と第４の外壁構造体との間の上階縦目地が、長尺矩形状の第１の上階縦目地用防水部材および第２の上階縦目地用防水部材により防水されたものであり、
第１の下階縦目地用防水部材の幅方向における一方の縁が第１の外壁構造体の躯体と外壁材との間に取り付けられ、第２の下階縦目地用防水部材の幅方向における一方の縁が第２の外壁構造体の躯体と外壁材との間に取り付けられ、第１の下階縦目地用防水部材および第２の下階縦目地用防水部材が下階縦目地を塞いでおり、
第１の上階縦目地用防水部材の幅方向における一方の縁が第３の外壁構造体の躯体と外壁材との間に取り付けられ、第２の上階縦目地用防水部材の幅方向における一方の縁が第４の外壁構造体の躯体と外壁材との間に取り付けられ、第１の上階縦目地用防水部材および第２の上階縦目地用防水部材が上階縦目地を塞いでおり、
第１の防水シートおよび第２の防水シートの上端が第１の上階縦目地用防水部材および第２の上階縦目地用防水部材の屋内側に配置され、第１の防水シートおよび第２の防水シートの下端が第１の下階縦目地用防水部材および第２の下階縦目地用防水部材の屋外側に配置されていることを特徴とする目地の防水構造。
【請求項３】
請求項１または２に記載の目地の防水構造であって、
さらに、第１の外壁構造体と第３の外壁構造体との間の横目地が、長尺矩形状の第１の横目地用防水部材により防水され、第２の外壁構造体と第４の外壁構造体との間の横目地が、長尺矩形状の第２の横目地用防水部材により防水されたものであり、
第１の横目地用防水部材は、幅方向の一方の縁が第３の外壁構造体の躯体と外壁材との間に取り付けられ、他方の縁が、第１の外壁材構造体の表面に貼着され、第２の横目地用防水部材は、幅方向の一方の縁が第４の外壁構造体の躯体と外壁材との間に取り付けられ、他方の縁が、第２の外壁材構造体の表面に貼着され、
第１の防水シートと第１の横目地用防水部材とが接合され、第２の防水シートと第２の横目地用防水部材とが接合されていることを特徴とする目地の防水構造。
【発明の詳細な説明】
【技術分野】
【０００１】
本発明は、建築物の外壁構造体間に形成される目地を防水する目地の防水構造に関する。
【背景技術】
【０００２】
近年、建築物の工法として、躯体と躯体に取り付けられた外壁材とを備える外壁構造体を並設して外壁を形成する方法が広く普及している。この工法では、通常、外壁構造体が間隔を空けて固定されており、外壁構造体間には目地が形成されている。この目地は、屋内と屋外とを連通しており、そのままでは屋内に雨等が浸入してしまうため、雨等の浸入を防ぐ防水対策が採られている。
縦目地や横目地においては、コーキング材やガスケットを充填して防水することがあるが、縦目地と横目地とが交差する交差部は、コーキング材やガスケットを充填しても防水性を確保することが困難であった。そのため、交差部の防水性を確保する防水構造が求められている。
【０００３】
図１８に、外壁構造体が上下左右に並設されて形成された目地を防水する防水構造の従来例を示す。ここで、下に配置され、躯体１１１と外壁材１１２とを備えた外壁構造体のことを下階用外壁構造体１１０といい、上に配置され、躯体１２１と外壁材１２２とを備えた外壁構造体のことを上階用外壁構造体１２０といい、下階用外壁構造体１１０，１１０間の縦目地を下階縦目地Ｖ1、上階用外壁構造体１２０，１２０間の縦目地を上階縦目地Ｖ2という。
この従来例では、下階縦目地Ｖ1を下階縦目地用防水シート１３０，１３０で塞いで防水し、上階縦目地Ｖ2を上階縦目地用防水シート１４０，１４０で塞いで防水する。
具体的には、下階縦目地用防水シート１３０が下階縦目地Ｖ1に配置されるように、各下階用外壁構造体１１０の躯体１１１と外壁材１１２との間に、下階縦目地用防水シート１３０における幅方向の一方の縁が取り付けられている。そして、それら下階縦目地用防水シート１３０，１３０の他方の縁同士が接合され、下階縦目地Ｖ1を塞いで防水している。同様に、上階縦目地用防水シート１４０が上階縦目地Ｖ2に配置されるように、各上階用外壁構造体１２０の躯体１２１と外壁材１２２との間に、上階縦目地用防水シート１４０における幅方向の一方の縁が取り付けられている。そして、それら上階縦目地用防水シート１４０，１４０の他方の縁同士が接合され、上階縦目地Ｖ2を塞いで防水している。
【０００４】
さらに、各上階用外壁構造体１２０の躯体１２１と上階縦目地用防水シート１４０との間に、縦目地（下階縦目地Ｖ1，上階縦目地Ｖ2）と横目地Ｈ1，Ｈ2との交差部Ｍを覆う矩形状の交差部用防水シート１５０の一方の縁が挟持されている。この交差部用防水シート１５０は、上階縦目地用防水シート１４０の裏面側から下階用外壁構造体１１０の表面にかけて配置されている。そして、交差部用防水シート１５０，１５０同士が接合されて交差部Ｍを防水している。
また、上階用外壁構造体１２０の躯体１２１と外壁材１２２との間における下端側から、下階用外壁構造体１１０の外壁材１１２表面まで、長尺矩形状の横目地用防水シート１６０が設置され、横目地Ｈ1，Ｈ2が塞がれて防水されている。
【発明の開示】
【発明が解決しようとする課題】
【０００５】
上記の防水構造では、交差部用防水シート１５０が下階用外壁構造体１１０の外壁材１１２表面に貼着され、下階縦目地用防水シート１３０が下階用外壁構造体１１０の外壁材１１２裏面に取り付けられているため、交差部用防水シート１５０の裏面と下階縦目地用防水シート１３０の表面とが外壁材の厚みの分だけ離れていた。その結果、交差部用防水シート１５０と下階縦目地用防水シート１３０との間に隙間が形成されやすく、特に、接合した交差部用防水シート１５０，１５０を折り畳んで下階縦目地Ｖ1内に収めた場合には、折り畳んだ部分に隙間Ｘが生じやすかった。風雨の際には、その隙間Ｘを介して雨が屋内側に吹き込んでくるため、防水性が低かった。
【０００６】
また、前記交差部用防水シートの下端を下方に延ばして、下階縦目地用防水シートとの重なり部分を長くすれば、隙間からの雨の吹き込みが抑えられると考えられる。しかし、その場合には、外観向上を目的として横目地を化粧モールで覆った際に、交差部用防水シートの下端が化粧モールからはみ出て、外観を損ねてしまう問題があった。
このように、従来の防水構造では、外観を損ねずに、縦目地と横目地の交差部の防水性を確保することが困難であった。
本発明は、前記事情を鑑みてなされたものであり、外観を損ねずに、縦目地と横目地の交差部の防水性を確保できる目地の防水構造を提供することを目的とする。
【課題を解決するための手段】
【０００７】
本発明は以下の構成を含む。
［１］  第１の外壁構造体と、第１の外壁構造体の一方の小口側に設置された第２の外壁構造体と、第１の外壁構造体上に設置された第３の外壁構造体と、第２の外壁構造体上に設置された第４の外壁構造体とにより形成された縦目地および横目地の交差部が、第１の防水シートおよび第２の防水シートにより防水された目地の防水構造であって、
第１〜第４の外壁構造体が、躯体及び躯体に取り付けられた外壁材を有し、
第１の防水シートおよび第２の防水シートが、柔軟性のシートからなり、矩形状の第１の防水領域と第１の防水領域の一辺から突出した第２の防水領域とを有するものであり、
第１の防水シートは、第１の防水領域における第２の防水領域近傍部が交差部に配置されるように、第３の外壁構造体を構成する外壁材の裏面の第２の外壁構造体側に、第１の防水シートの第１の防水領域が取り付けられ、第１の防水領域における第２の防水領域側の縁の第２の防水領域に隣接していない非隣接部が第１の外壁構造体の表面に取り付けられ、第２の防水領域における前記非隣接部側でかつ突出方向に沿った縁が第１の外壁構造体の小口に貼着され、
第２の防水シートは、第１の防水領域における第２の防水領域近傍部が交差部に配置されるように、第４の外壁構造体を構成する外壁材の裏面の第１の外壁構造体側に、第２の防水シートの第１の防水領域が取り付けられ、第１の防水領域における第２の防水領域側の縁の第２の防水領域に隣接していない非隣接部が第１の外壁構造体の表面に取り付けられ、第２の防水領域における前記非隣接部側でかつ突出方向に沿った縁が第１の外壁構造体の小口に貼着され、
第１の防水シートと第２の防水シートとが接合されていることを特徴とする目地の防水構造。
【０００８】
［２］［１］に記載の目地の防水構造であって、さらに、第１の外壁構造体と第２の外壁構造体との間の下階縦目地が、長尺矩形状の第１の下階縦目地用防水部材および第２の下階縦目地用防水部材により防水され、第３の外壁構造体と第４の外壁構造体との間の上階縦目地が、長尺矩形状の第１の上階縦目地用防水部材および第２の上階縦目地用防水部材により防水されたものであり、
第１の下階縦目地用防水部材の幅方向における一方の縁が第１の外壁構造体の躯体と外壁材との間に取り付けられ、第２の下階縦目地用防水部材の幅方向における一方の縁が第２の外壁構造体の躯体と外壁材との間に取り付けられ、第１の下階縦目地用防水部材および第２の下階縦目地用防水部材が下階縦目地を塞いでおり、
第１の上階縦目地用防水部材の幅方向における一方の縁が第３の外壁構造体の躯体と外壁材との間に取り付けられ、第２の上階縦目地用防水部材の幅方向における一方の縁が第４の外壁構造体の躯体と外壁材との間に取り付けられ、第１の上階縦目地用防水部材および第２の上階縦目地用防水部材が上階縦目地を塞いでおり、
第１の防水シートおよび第２の防水シートの上端が第１の上階縦目地用防水部材および第２の上階縦目地用防水部材の屋内側に配置され、第１の防水シートおよび第２の防水シートの下端が第１の下階縦目地用防水部材および第２の下階縦目地用防水部材の屋外側に配置されていることを特徴とする目地の防水構造。
【０００９】
［３］［１］または［２］に記載の目地の防水構造であって、さらに、第１の外壁構造体と第３の外壁構造体との間の横目地が、長尺矩形状の第１の横目地用防水部材により防水され、第２の外壁構造体と第４の外壁構造体との間の横目地が、長尺矩形状の第２の横目地用防水部材により防水されたものであり、
第１の横目地用防水部材は、幅方向の一方の縁が第３の外壁構造体の躯体と外壁材との間に取り付けられ、他方の縁が、第１の外壁材構造体の表面に貼着され、第２の横目地用防水部材は、幅方向の一方の縁が第４の外壁構造体の躯体と外壁材との間に取り付けられ、他方の縁が、第２の外壁材構造体の表面に貼着され、
第１の防水シートと第１の横目地用防水部材とが接合され、第２の防水シートと第２の横目地用防水部材とが接合されていることを特徴とする目地の防水構造。
【発明の効果】
【００１０】
本発明の目地の防水構造は、外観を損ねずに、縦目地と横目地の交差部の防水性を確保できる。
【発明を実施するための最良の形態】
【００１１】
次に、本発明の目地の防水構造（以下、防水構造と略す。）の一実施形態例について説明する。本実施形態の防水構造は、図１に示す防水シート１０を用いて縦目地と横目地との交差部を防水する構造である。
【００１２】
図１に、本実施形態例における防水シートを示す。本実施形態例の防水シート１０は、柔軟性のシートからなり、矩形状の第１の防水領域１１と、第１の防水領域１１の一方の短辺の一端側から突出した矩形状の第２の防水領域１２とを有する。また、本実施形態では、第２の防水領域１２の突出方向が第２の防水領域の長手方向である。
【００１３】
第１の防水領域１１の長手方向の長さＬ1は、２０〜６０ｃｍであることが好ましく、幅方向の長さＷ1は１５〜２５ｃｍであることが好ましい。第２の防水領域１２の長手方向の長さＬ2は、３〜１５ｃｍであることが好ましく、幅方向の長さＷ2は、８〜１５ｃｍであることが好ましい。
【００１４】
防水シート１０を構成する柔軟性シートは、ブチルゴム、エチレン−プロピレン−ジエン共重合体（ＥＰＤＭ）ゴム、ブチルゴム／ＥＰＤＭゴムの混合物、ウレタンゴム、スチレン−イソプレン−スチレンブロック共重合体（ＳＩＳ）、スチレン−ブタジエン−スチレンブロック共重合体（ＳＢＳ）などのゴムあるいはエラストマーからなるシートである。上記シートの中でも、耐候性、耐熱性、耐火性なども良好で、かつ、安価であることから、ブチルゴム、ブチルゴム／ＥＰＤＭゴムの混合物のシートが好ましい。また、上記シートの片面には布帛が貼り合わされていてもよい。
【００１５】
防水シート１０の一方の面の、第１の防水領域１１における第２の防水領域１２に隣接する長辺側の縁、および、その縁に隣接する第２の防水領域の長辺の縁には、第１の貼着剤層１４ａが設けられている。第１の防水領域１１における他方の長辺側の縁には、第２の貼着剤層１４ｂが設けられている。また、第２の防水領域１２の第１の貼着剤層１４ａに隣接しない長辺側の縁には、第３の貼着剤層１４ｃが設けられている。第１の防水領域１１における第２の防水領域１２側の短辺の縁の、第２の防水領域１２が隣接しない部分には、第４の貼着剤層１４ｄが設けられている。
貼着剤層を形成するための貼着剤としては、例えば、ブチル系粘着剤、アクリル系粘着剤、エポキシ系粘着剤、ウレタン系粘着剤及び天然ゴム系粘着剤などが挙げられる。
各貼着剤層上には、貼着剤層を保護する離型紙が設けられていてもよい。
【００１６】
防水シート１０の他方の面の第１の防水領域１１には、第２の防水領域１２に隣接せず、第１の防水領域１１の長手方向に沿った防水層１５が形成されている。防水層１５としては、ブチルゴム、独立発泡のスポンジなどが挙げられる。
【００１７】
上記防水シートを用いた本実施形態例の防水構造は、図２に示すような、第１の外壁構造体２１と、第１の外壁構造体２１の小口側に設置された第２の外壁構造体２２と、第１の外壁構造体２１上に設置された第３の外壁構造体２３と、第２の外壁構造体２２上に湿地された第４の外壁構造体２４とにより形成された縦目地（下階縦目地Ｖ1，上階縦目地Ｖ2）と横目地Ｈ1，Ｈ2との交差部Ｍを、上記防水シートにより防水するものである。
具体的には、図３に示すように、交差部Ｍが、第１の防水シート１０ａおよび第２の防水シート１０ｂにより塞がれて防水されている。
また、本実施形態例では、図４に示すように、下階縦目地Ｖ1が、第１の下階縦目地用防水部材３０ａおよび第２の下階縦目地用防水部材３０ｂにより塞がれて防水され、上階縦目地Ｖ2が、第１の上階縦目地用防水部材４０ａおよび第２の上階縦目地用防水部材４０ｂにより塞がれて防水されている（図３および図４参照）。
さらに、第１の外壁構造体２１と第３の外壁構造体２３との間の横目地Ｈ1、第２の外壁構造体２２と第４の外壁構造体２４との間の横目地Ｈ2が、第１の横目地用防水部材５０ａおよび第２の横目地用防水部材５０ｂにより塞がれて防水されている（図３参照）。
【００１８】
第１〜第４の外壁構造体２１〜２４は、躯体及び躯体に取り付けられた矩形状の外壁材を有するものである。ここで、第１の外壁構造体２１の躯体を第１の躯体２１ａといい、外壁材を第１の外壁材２１ｂという。同様に、第２の外壁構造体２２の躯体を第２の躯体２２ａ、外壁材を第２の外壁材２２ｂといい、第３の外壁構造体２３の躯体を第３の躯体２３ａ、外壁材を第３の外壁材２３ｂといい、第４の外壁構造体２４の躯体を第４の躯体２４ａ、外壁材を第４の外壁材２４ｂという（図２参照）。
【００１９】
第１の防水シート１０ａは、第１の防水領域１１における第２の防水領域近傍部１１ａが交差部Ｍに配置されるように、第３の外壁材２３ｂの裏面（第３の躯体の表面）の第２の外壁構造体２２側に、第１の防水シート１０ａの第１の防水領域１１が、第２の貼着剤層１４ｂにより貼着されている（図５参照）。
このように第１の防水シート１０ａが第３の外壁構造体２３に取り付けられて、第１の防水シート１０ａの第１の防水領域１１が上階縦目地Ｖ2および横目地Ｈ1に配置され、第２の防水領域１２が下階縦目地Ｖ1に配置されている。
【００２０】
また、この防水構造１では、第１の防水シートは、図５に示すように、第１の防水領域１１における第２の防水領域１２側の縁の第２の防水領域１２に隣接しない非隣接部が、第４の貼着剤層１４ｄにより、第１の外壁構造体２１の表面に貼着されている。また、図６に示すように、第２の防水領域１２における前記非隣接部側でかつ突出方向に沿った縁が、第３の貼着剤層１４ｃにより、第１の外壁構造体２１の小口２１ｃに貼着されている。
【００２１】
同様に、第２の防水シート１０ｂの第１の防水領域１１における第２の防水領域近傍部１１ａが交差部Ｍに配置されるように、第４の外壁材２４ｂの裏面（第４の躯体の表面）の第１の外壁構造体２１側に、第２の防水シート１０ｂの第１の防水領域１１が、第２の防水シート１０ｂの第２の貼着剤層１４ｂにより貼着されている。
また、第２の防水シート１０ｂは、第１の防水領域１１における第２の防水領域１２側の縁の第２の防水領域１２に隣接しない非隣接部が、第４の貼着剤層１４ｄにより、第１の外壁構造体２１の表面に貼着されている。また、第２の防水領域１２における前記非隣接部側でかつ突出方向に沿った縁が、第３の貼着剤層１４ｃにより、第１の外壁構造体２１の小口２１ｃに貼着されている。
このように第２の防水シート１０ｂが第４の外壁構造体２４に取り付けられて、第２の防水シート１０ｂの第１の防水領域１１が上階縦目地Ｖ2および横目地Ｈ2に配置され、第２の防水領域１２が下階縦目地Ｖ1に配置されている。
【００２２】
本実施形態例における第１の下階縦目地用防水部材３０ａおよび第２の下階縦目地用防水部材３０ｂは、図７に示すような、長尺矩形状の無延伸ポリプロピレン製シート３１（以下、ＣＰＰシート３１という。）と、ＣＰＰシート３１の幅方向の一方の端部上に長手方向に沿って設けられたブチルゴム製の防水層３２とを有するものである。さらに、下階縦目地用防水部材３０ａ，３０ｂは、長手方向に沿って谷折りに折り返された谷折り領域Ｐと、防水層３２が接し、第１の躯体２１ａと第１の外壁材２１ｂとの間、あるいは、第２の躯体２２ａと第２の外壁材２２ｂとの間に取り付けられる取付領域Ｑとを有している。
また、下階縦目地用防水部材３０ａ，３０ｂのＣＰＰシート３１は、幅方向の他方の端部が外側に向けて折曲されて外折り部３４が形成されている。さらに、谷折り領域Ｐと取付領域Ｑとの境界線Ｌで折曲されて、防水層３２表面と谷折り領域Ｐの折り目３３先端とが互いに反対側を向くようになっている。
【００２３】
第１の下階縦目地用防水部材３０ａは、取付領域Ｑ1が第１の躯体２１ａと第１の外壁材２１ｂとの間に取り付けられ、第２の下階縦目地用防水部材３０ｂは、取付領域Ｑ2が第２の躯体２２ａと第２の外壁材２２ｂとの間に取り付けられている（図４参照）。
そして、第１の下階縦目地用防水部材３０ａの谷折り領域Ｐ1が第１の躯体２１ａと第２の躯体２２ａとの間に配置され、その外折り部３４が第２の外壁材２２ｂと第２の下階縦目地用防水部材３０ｂとの間に差し込まれて固定されている。また、第２の下階縦目地用防水部材３０ｂの谷折り領域Ｐ2が第１の躯体２１ａと第２の躯体２２ａとの間に配置され、その外折り部３４が第１の躯体２１ａと第１の下階縦目地用防水部材３０ａとの間に差し込まれて固定されている。
このようにして、各下階縦目地用防水部材３０ａ，３０ｂの谷折り領域Ｐ1，Ｐ2の長手方向が下階縦目地Ｖ1に沿って配置され、谷折り領域Ｐ1，Ｐ2同士が重ね合わされて下階縦目地Ｖ1を塞いでいる。
【００２４】
第１の上階縦目地用防水部材４０ａおよび第２の上階縦目地用防水部材４０ｂは、下階縦目地用防水部材３０ａ，３０ｂと同じものが使用される。
第１の上階縦目地用防水部材４０ａは、取付領域Ｑ3が第３の躯体２３ａまたは第１の防水シート１０ａと第３の外壁材２３ｂとの間に取り付けられている。また、第２の上階縦目地用防水部材４０ｂは、交差部Ｍ近傍では、取付領域Ｑ4が第１の防水シート１０ａと第４の外壁材２４ｂとの間に取り付けられ（図８参照）、交差部Ｍ近傍より上方では、取付領域Ｑ4が第４の躯体２４ａと第４の外壁材２４ｂとの間に取り付けられている（図４参照）。
そして、第１の上階縦目地用防水部材４０ａの谷折り領域Ｐ3が第３の躯体２３ａと第４の躯体２４ａとの間に配置され、その外折り部３４が第４の外壁材２４ｂと第２の上階縦目地用防水部材４０ｂとの間に差し込まれて固定されている。また、第２の上階縦目地用防水部材４０ｂは、谷折り領域Ｐ4が第３の躯体２３ａと第４の躯体２４ａとの間に配置され、その外折り部３４が第４の躯体２４ａまたは第１の防水シート１０ａと第１の上階縦目地用防水部材４０ａとの間に差し込まれて固定されている。
このようにして、各上階縦目地用防水部材４０ａ，４０ｂの谷折り領域Ｐ3，Ｐ4の長手方向が上階縦目地Ｖ2に沿って配置され、谷折り領域Ｐ3，Ｐ4同士が重ね合わされて上階縦目地Ｖ2を塞いでいる。
【００２５】
第１の横目地用防水部材５０ａおよび第２の横目地用防水部材５０ｂは、第１の防水シート１０ａおよび第２の防水シート１０ｂと同じ材質の長尺矩形状のシートが用いられる。
第１の横目地用防水部材５０ａは、幅方向の一方の縁が、第３の躯体２３ａと第３の外壁材２３ｂとの間に取り付けられ、第１の外壁材２１ｂの表面の上端側に他方の縁が貼着されている。また、第１の横目地用防水部材５０ａの長手方向の一方の縁が第１の防水シート１０ａの第１の防水領域１１上に重ねられている（図３参照）。
第２の横目地用防水部材５０ｂは、幅方向の一方の縁が、第４の躯体２４ａと第４の外壁材２４ｂとの間に取り付けられ、第２の外壁材２２ｂの表面の上端側に他方の縁が貼着されている。また、第２の横目地用防水部材５０ｂの長手方向の一方の縁が第２の防水シート１０ｂの第１の防水領域１１上に重ねられている。
このようにして、第１の横目地用防水部材５０ａにより横目地Ｈ1が塞がれ、第２の横目地用防水部材５０ｂにより横目地Ｈ2が塞がれている。
【００２６】
さらに、第１の防水シート１０ａと第２の防水シート１０ｂとが、それぞれの第１の貼着剤層１４ａにより接合されている。また、図９に示すように、第１の防水シート１０ａおよび第２の防水シート（図示せず）の上端が上階縦目地用防水部材４０ａ，４０ｂの屋内側に配置されつつ、これらが重なり合っており、第１の防水シート１０ａおよび第２の防水シートの下端が下階縦目地用防水部材３０ａ，３０ｂの屋外側に配置されつつ、これらが重なり合っている。
【００２７】
この防水構造１において、第１の防水シート１０ａおよび第２の防水シート１０ｂと下階縦目地用防水部材３０ａ，３０ｂまたは上階縦目地用防水部材４０ａ，４０ｂとの重なり部分の長さは、防水性の観点からはできるだけ長いほうが好ましく、具体的には、５０ｍｍ以上であることが好ましく、１００ｍｍ以上であることがより好ましい。
【００２８】
上記防水構造の形成方法について説明する。
まず、図１０に示すように、第１の躯体２１ａの表面における第２の躯体２２ａに隣接する側に、第１の下階縦目地用防水部材３０ａの取付領域Ｑ1を設置して防水層３２を表面側に配置すると共に、谷折り領域Ｐ1を下階縦目地Ｖ1に配置する。次いで、図１１に示すように、第１の躯体２１ａに第１の外壁材２１ｂを取り付けて第１の外壁構造体２１を形成しつつ、第１の外壁材２１ｂの裏面に第１の下階縦目地用防水部材３０ａの防水層３２を配置する。この際、防水層１５が第１の外壁材２１ｂに接触する。
これと同様にして、第２の躯体２２ａに第２の外壁材２２ｂを取り付けて第２の外壁構造体２２を形成しつつ、第２の外壁材２２ｂの裏面に第２の下階縦目地用防水部材３０ｂの防水層３２を配置し、下階縦目地Ｖ1に谷折り領域Ｐ2を配置する。
【００２９】
次いで、第２の外壁構造体２２に取り付けられた第２の下階縦目地用防水部材３０ｂの谷折り領域Ｐ2を、施工用工具により第１の躯体２１ａと第２の躯体２２ａとの間に押し込み、その外折り部３４を第１の躯体２１ａと第１の下階縦目地用防水部材３０ａとの間に差し込んで固定する。次いで、第１の外壁構造体２１に取り付けられた第１の下階縦目地用防水部材３０ａの谷折り領域Ｐ1を、施工用工具により第１の躯体２１ａと第２の躯体２２ａとの間に押し込み、その外折り部３４を第２の外壁材２２ｂと第２の下階縦目地用防水部材３０ｂとの間に差し込んで固定する。
このようにして、第１の下階縦目地用防水部材３０ａおよび第２の下階縦目地用防水部材３０ｂの谷折り領域Ｐ1，Ｐ2の長手方向を下階縦目地Ｖ1に沿って配置させつつ、谷折り領域Ｐ1，Ｐ2同士を重ね合わせる（図４参照）。
【００３０】
次いで、図１２に示すように、第３の躯体２３ａの表面（第３の外壁材２３ｂが取り付けられる側の面）の第２の躯体２２ａ側に、第１の防水シート１０ａの第２の貼着剤層１４ｂを貼着する。また、第３の躯体２３ａの表面下端部に、第１の横目地用防水部材５０ａの幅方向の一方の縁を貼着する。その際、第１の横目地用防水部材５０ａの長手方向の一方の縁を第１の防水シート１０ａの第１の防水領域１１の上に重ねる。
また、図１３に示すように、第４の躯体２４ａの表面（第４の外壁材２４ｂが取り付けられる側の面）の第１の外壁材２１ｂ側に、第２の防水シート１０ｂの第２の貼着剤層１４ｂを貼着する。また、第４の躯体２４ａの表面下端部に、第２の横目地用防水部材５０ｂの幅方向の一方の縁を貼着する。
【００３１】
次いで、第３の躯体２３ａの表面における第４の躯体２４ａ側の縁および第１の防水シート１０ａの第３の躯体２３ａに接する部分に、第１の上階縦目地用防水部材４０ａにおけるＣＰＰシート３１の取付領域Ｑ3を設置して防水層３２を表面側に配置すると共に、その谷折り領域Ｐ3を上階縦目地Ｖ2に配置する。
次いで、第３の躯体２３ａおよび第１の防水シート１０ａ上に第３の外壁材２３ｂを取り付ける（図１４参照）。
同様に、第４の躯体２４ａの表面における第３の躯体２３ａ側の縁および第２の防水シート１０ｂの第４の躯体２４ａに接する部分に、第２の上階縦目地用防水部材４０ｂにおけるＣＰＰシート３１の取付領域Ｑ4を設置して防水層３２を表面側に配置すると共に、その谷折り領域Ｐ4を上階縦目地Ｖ2に配置する。
次いで、第４の躯体２４ａおよび第２の防水シート１０ｂ上に第４の外壁材２４ｂを取り付ける。
【００３２】
次いで、図５に示すように、第１の防水シート１０ａの、第１の防水領域１１における第２の防水領域１２側の縁の非隣接部を、第４の貼着剤層１４ｄにより、第１の外壁材２１ｂの表面の上端側に貼着する。同様に、第２の防水シート１０ｂの第１の防水領域１１における第２の防水領域１２側の縁の非隣接部を、第４の貼着剤層１４ｄにより、第２の外壁材２２ｂの表面の上端側に貼着する。
また、第３の外壁構造体２３に取り付けられた第１の横目地用防水部材５０ａの他方の縁を第１の外壁材２１ｂの表面の上端側に貼着し、第４の外壁構造体２４に取り付けられた第２の横目地用防水部材５０ｂの他方の縁を第２の外壁材２２ｂの表面の上端側に貼着する。
【００３３】
次いで、図６に示すように、第１の防水シート１０ａについて、第２の防水領域１２における第１の防水領域１２の前記非隣接部側でかつ突出方向に沿った縁を、第３の貼着剤層１４ｃにより、第１の外壁材２１ｂの小口２１ｃに貼着する。同様に、第２の防水シート１０ｂについて、第２の防水領域１２における第１の防水領域１２の前記非隣接部側でかつ突出方向に沿った縁を、第３の貼着剤層１４ｃにより、第２の外壁材２１ｂの小口２１ｃに貼着する。
その後、下階縦目地Ｖ1および上階縦目地Ｖ2にて、第１の防水シート１０ａと第２の防水シート１０ｂとを、それぞれの第１の貼着剤層１４ａ，１４ａにより貼着して接合する。
【００３４】
次いで、図８に示すように、第４の外壁構造体２４に取り付けられた第２の上階縦目地用防水部材４０ｂの谷折り領域Ｐ4を、第３の躯体２３ａと第４の躯体２４ａとの間に押し込み、その外折り部３４を第１の防水シート１０ａと第１の上階縦目地用防水部材４０ａとの間に差し込んで固定する。次いで、第３の外壁構造体２３に取り付けられた第１の上階縦目地用防水部材４０ａの谷折り領域Ｐ3を、第３の躯体２３ａと第４の躯体２４ａとの間に押し込む。そして、第１の上階縦目地用防水部材４０ａの外折り部３４を、交差部Ｍ近傍では第１の防水シート１０ａと第２の上階縦目地用防水部材４０ｂとの間、交差部Ｍ近傍より上方では、第４の外壁材２４ｂと第２の上階縦目地用防水部材との間に差し込んで固定する。
このようにして、第１の上階縦目地用防水部材４０ａおよび第２の上階縦目地用防水部材４０ｂの谷折り領域Ｐ3，Ｐ4の長手方向を上階縦目地Ｖ2に沿って配置させつつ、谷折り領域Ｐ3，Ｐ4同士を重ね合わせる。
以上の手順により、図９に示すように、第１の防水シート１０ａおよび第２の防水シートの上端を第１の上階縦目地用防水部材４０ａおよび第２の上階縦目地用防水部材４０ｂの屋内側に配置し、第１の防水シート１０ａおよび第２の防水シートの下端を第１の下階縦目地用防水部材３０ａおよび第２の下階縦目地用防水部材３０ｂの屋外側に配置して、防水構造１を形成する。
【００３５】
その後、縦目地Ｖ1，Ｖ2にバックアップ材６１およびコーキング材６２を充填したり（図１５参照。図１５は下階縦目地Ｖ1にバックアップ材６１およびコーキング材６２を充填した図である。）、ガスケット６３を挿入したり（図１６参照。図１６は下階縦目地Ｖ1にガスケット６３を充填した図である。）することができる。
また、交差部Ｍおよび横目地Ｈ1，Ｈ2を化粧シート６４で覆って（図１７参照。図１７は横目地Ｈ1を化粧シート６４で覆った図である。）外観および防水性の向上を図ることができる。
【００３６】
上述した防水構造１では、第１の防水シート１０ａの第２の防水領域１２が第１の外壁材２１ｂの小口２１ｃに貼着され、第２の防水シート１０ｂの第２の防水領域１２が第２の外壁材２２ｂの小口２２ｃに貼着されているため、第１の防水シート１０ａおよび第２の防水シート１０ｂと、第１の下階縦目地用防水部材３０ａおよび第２の下階縦目地用防水部材３０ｂとが近接している。そのため、第１の防水シート１０ａおよび第２の防水シート１０ｂの下端と第１の下階縦目地用防水部材３０ａおよび第２の下階縦目地用防水部材３０ｂの上端との間に隙間が形成されにくく、風雨の際でも、雨が屋内側に入り込みにくい。したがって、交差部Ｍの防水性に優れている。
また、この防水構造１では、第１の上階縦目地用防水部材４０ａおよび第２の上階縦目地用防水部材４０ｂの表面で塞いだ水は、第１の防水シート１０ａおよび第２の防水シート１０ｂの表面を伝って、第１の下階縦目地用防水部材３０ａおよび第２の下階縦目地用防水部材３０ｂの表面を流れるようになっているため、屋内側に水が入り込みにくい。
しかも、防水構造１では、第１の防水シート１０ａおよび第２の防水シート１０ｂが縦目地Ｖ1，Ｖ2と交差部Ｍ内に収まっているため、横目地Ｈ1，Ｈ2を化粧モールで覆っても、化粧モールからはみ出にくく、外観を損ねにくい。
【００３７】
なお、本発明は、上述した実施形態例に限定されない。例えば、上述した実施形態例では、第１の防水シートおよび第２の防水シートを外壁材に先に貼着し、第１の防水シートまたは第２の防水シート上に横目地用防水部材を重ねていたが、横目地用防水部材を外壁材に先に貼着し、横目地用防水部材上に第１の防水シートまたは第２の防水シートを重ねてもよい。
また、下階縦目地用防水部材および上階縦目地用防水部材がゴムシートであっても構わない。下階縦目地用防水部材および上階縦目地用防水部材がゴムシートの場合には、左右に隣接した外壁構造体に各々取り付けられたゴムシート同士は、貼着剤等により接合される。
また、第１の防水シートおよび第２の防水シートには、貼着剤層をあらかじめ設けなくてもよい。貼着剤層をあらかじめ設けない場合には、防水シートを貼着する直前に所定の位置に貼着剤層を塗布すればよい。
【図面の簡単な説明】
【００３８】
【図１】本発明の防水シートの一実施形態例を示す平面図である。
【図２】目地の一例を示す斜視図である。
【図３】本発明の目地の防水構造の一実施形態例を示す斜視図である。
【図４】図３のＡ−Ａ’断面図である。
【図５】本発明の目地の防水構造の一実施形態例を示す正面図である。
【図６】図３のＢ−Ｂ’断面図である。
【図７】図３の実施形態例の目地の防水構造を構成する下階縦目地用防水部材または上階縦目地用防水部材を示す斜視図である。
【図８】図３のＣ−Ｃ’断面図である。
【図９】図５のＤ−Ｄ’断面図である。
【図１０】図３の目地の防水構造の実施形態例を形成する際の一工程を示す断面図である。
【図１１】図３の目地の防水構造の実施形態例を形成する際の一工程を示す断面図である。
【図１２】図３の目地の防水構造の実施形態例を形成する際の一工程を示す正面図である。
【図１３】図３の目地の防水構造の実施形態例を形成する際の一工程を示す正面図である。
【図１４】図３の目地の防水構造の実施形態例を形成する際の一工程を示す断面図である。
【図１５】図３の目地の防水構造の実施形態例において、縦目地にバックアップ材およびコーキング材を充填した態様を示す断面図である。
【図１６】図３の目地の防水構造の実施形態例において、縦目地にガスケットを充填した態様を示す断面図である。
【図１７】図３の目地の防水構造の実施形態例において、横目地を化粧シートで覆った態様を示す断面図である。
【図１８】目地の防水構造の従来例を示す
【符号の説明】
【００３９】
１０  防水シート
１０ａ  第１の防水シート
１０ｂ  第２の防水シート
１１  第１の防水領域
１１ａ  第２の防水領域近傍部
１２  第２の防水領域
１４ａ  第１の貼着剤層
１４ｂ  第２の貼着剤層
１４ｃ  第３の貼着剤層
１４ｄ  第４の貼着剤層
２１  第１の外壁構造体
２１ａ  第１の躯体
２１ｂ  第１の外壁材
２１ｃ  小口
２２  第２の外壁構造体
２２ａ  第２の躯体
２２ｃ  小口
２２ｂ  第２の外壁材
２３  第３の外壁構造体
２３ａ  第３の躯体
２３ｂ  第３の外壁材
２４  第４の外壁構造体
２４ａ  第４の躯体
２４ｂ  第４の外壁材
３０ａ  第１の下階縦目地用防水部材
３０ｂ  第２の下階縦目地用防水部材
４０ａ  第１の上階縦目地用防水部材
４０ｂ  第２の上階縦目地用防水部材
５０ａ  第１の横目地用防水部材
５０ｂ  第２の横目地用防水部材
Ｖ1  下階縦目地
Ｖ2  上階縦目地
Ｈ1，Ｈ2  横目地
Ｍ  交差部
１１０  下階用外壁構造体
１１１  躯体
１１２  外壁材
１２０  上階用外壁構造体
１２１  躯体
１２２  外壁材
１３０  下階縦目地用防水シート
１４０  上階縦目地用防水シート
１５０  交差部用防水シート
１６０  横目地用防水シート
【図１】
2007217946.tif 000003
【図２】
2007217946.tif 000004
【図３】
2007217946.tif 000005
【図４】
2007217946.tif 000006
【図５】
2007217946.tif 000007
【図６】
2007217946.tif 000008
【図７】
2007217946.tif 000009
【図８】
2007217946.tif 000010
【図９】
2007217946.tif 000011
【図１０】
2007217946.tif 000012
【図１１】
2007217946.tif 000013
【図１２】
2007217946.tif 000014
【図１３】
2007217946.tif 000015
【図１４】
2007217946.tif 000016
【図１５】
2007217946.tif 000017
【図１６】
2007217946.tif 000018
【図１７】
2007217946.tif 000019
【図１８】
2007217946.tif 000020